(57)【要約】【課題】外観が良好でメンテナンスが容易な樋を形成することができる庇構造及び庇部材を提供する。【解決手段】庇２０上面に開口した横樋３３が埋設された庇２０と、屋根または上階の庇に降り注いだ雨水を前記横樋３３の上部に流入させる上部竪樋５１と、前記横樋３３に流入した雨水を地面または排水路へ流す下部竪樋５２とからなる建物の庇構造である。庇２０に埋設され庇２０上面に開口した横樋３３により、庇２０に降り注ぐ雨水を回収するとともに、屋根または上階の庇に降り注いだ雨水を上部竪樋５１から横樋３３に流入させ、横樋３３に流入した雨水を下部竪樋５２により地面または排水路へ流すため、竪樋を折り曲げずに設置することができ、メンテナンスを容易にすることができる。また、庇２０に埋設された横樋３３は庇２０上面に開口しているため、上部竪樋５１を横樋３３の上部の任意の場所に設置することができる。【選択図】図３
2005220560.tif 000002
【特許請求の範囲】
【請求項１】
庇上面に開口した横樋が埋設された庇と、屋根または上階の庇に降り注いだ雨水を前記横樋に流入させる上部竪樋と、前記横樋に流入した雨水を地面または排水路へ流す下部竪樋とからなることを特徴とする庇構造。
【請求項２】
建物の外壁に縦溝部が設けられており、この縦溝部に前記庇の少なくとも基端部と前記上部竪樋とが設けられていることを特徴とする請求項１に記載の庇構造。
【請求項３】
前記下部竪樋は前記縦溝部の側面に沿って設けられていることを特徴とする請求項２に記載の庇構造。
【請求項４】
前記上部竪樋は前記横樋の排水口の上部に配置されていることを特徴とする請求項１〜３のいずれか一項に記載の庇構造。
【請求項５】
請求項１〜４のいずれか一項に記載の庇構造に用いられる庇部材であって、前記横樋が埋設されるとともに、下面に前記下部竪樋と接続され前記横樋に流入した雨水を排水する排水口が設けられていることを特徴とする庇部材。
【発明の詳細な説明】
【技術分野】
【０００１】
本発明は、建物の樋を有する庇構造及び庇部材に関する。
【背景技術】
【０００２】
庇は、窓や出入口等の建物躯体の開口部の外部上方に位置し、日よけや雨よけの役割を果たしている。従来の庇は、上面に降り注いだ雨水を庇の外方へ流れ落とすために、上面が外方に向かって下り傾斜している。また、庇の外方の端部には、流れ落ちた雨水を回収する横樋が設けられている。また、横樋には、雨水を地面や排水路へ流す竪樋が接続される。
【０００３】
また、庇の中央に横樋を設け、横樋の両側に、横樋に向かって下り傾斜する屋根パネルを設け、これらの屋根パネルに降り注いだ雨水を横樋で回収可能とした庇もある（特許文献１参照）。
【特許文献１】特開２０００−１９２６２６号広報
【発明の開示】
【発明が解決しようとする課題】
【０００４】
ところで、屋根や上階の庇に降り注いだ雨水を地面や排水路へ流す竪樋を設ける場合には、階下の庇の位置で竪樋を折り曲げて設置しなければならないが、竪樋を折り曲げて設置するには、樋専用の取付金具が必要となり、施工の手間が増大する。また、竪樋を折り曲げて設置すると、見栄えが悪いことに加え、メンテナンスが煩雑となる。
【０００５】
また、特許文献１に記載の庇は、２枚の屋根パネルを用いるため、例えば玄関部分の庇など、比較的大きな庇には向いているが、狭い箇所に設ける庇には不向きである。また庇の組み立ては、窓や出入口等を設ける板金工やサッシ工と作業場所が重なるため、作業効率が低下する。
【０００６】
本発明の課題は、外観が良好でメンテナンスが容易な樋を形成することができる庇構造及び庇部材を提供することである。
【課題を解決するための手段】
【０００７】
以上の課題を解決するため、請求項１に記載の発明は、例えば図１に示すように、庇構造であって、庇２０上面に開口した横樋３３が埋設された庇２０と、屋根または上階の庇に降り注いだ雨水を前記横樋３３に流入させる上部竪樋５１と、前記横樋３３に流入した雨水を地面または排水路へ流す下部竪樋５２とからなることを特徴とする。
【０００８】
請求項１に記載の発明によれば、庇２０に埋設され庇２０上面に開口した横樋３３により、庇２０に降り注ぐ雨水を回収するとともに、屋根または上階の庇に降り注いだ雨水を上部竪樋５１から横樋３３に流入させ、横樋３３に流入した雨水を下部竪樋５２により地面または排水路へ流すため、竪樋を折り曲げずに設置することができ、メンテナンスを容易にすることができる。また、庇２０に埋設された横樋３３は庇２０上面に開口しているため、上部竪樋５１を横樋３３の上部の任意の場所に設置することができる。
【０００９】
請求項２に記載の発明は、請求項１に記載の庇構造であって、例えば図１に示すように、建物の外壁１１に縦溝部１０が設けられており、この縦溝部１０に前記庇２０の少なくとも基端部と前記上部竪樋５１とが設けられていることを特徴とする。
【００１０】
請求項２に記載の発明によれば、建物の外壁１１に設けた縦溝部１０に庇２０の少なくとも基端部と上部竪樋５１とを設けることで、庇２０及び上部竪樋５１が目につきにくくなり、建物躯体の輪郭の美感を損ねることがない。
【００１１】
請求項３に記載の発明は、請求項２に記載の庇構造であって、前記下部竪樋５２は前記縦溝部１０の側面に沿って設けられていることを特徴とする。
【００１２】
請求項３に記載の発明によれば、下部竪樋５２を縦溝部１０の側面に沿って設けることで、縦溝部１０を正面から見た場合に下部竪樋５２が目につきにくい。また庇２０の下部の縦溝部１０に窓や出入口などの開口を設けた場合にも、下部竪樋５２が開口からの視線や出入りの妨げとなることがない。
【００１３】
請求項４に記載の発明は、請求項１〜３のいずれか一項に記載の庇構造において、前記上部竪樋５１は前記横樋３３の排水口の上部に配置されていることを特徴とする。
【００１４】
請求項４に記載の発明によれば、上部竪樋５１を横樋３３の排水口の上部に配置することで、屋根または上階の庇に降り注いだ雨水を横樋３３の排水口に直接流し入れることができる。
【００１５】
請求項５に記載の発明は、請求項１〜４のいずれか一項に記載の庇構造に用いられる庇部材３０であって、前記横樋３３が埋設されるとともに、下面に前記下部竪樋５２と接続され前記横樋３３に流入した雨水を排水する排水口が設けられていることを特徴とする
【００１６】
請求項５に記載の発明によれば、庇部材３０に横樋３３が埋設されるとともに、下面に下部竪樋５２と接続され横樋３３に流入した雨水を排水する排水口が設けられているので、庇部材３０を建物躯体に取り付け、次いで下部竪樋５２を排水口と接続するとともに、上部竪樋５１を横樋３３の上部に配置することで、建物の庇部分における樋構造を容易に形成することができる。
【発明の効果】
【００１７】
本発明によれば、竪樋を庇部分で折り曲げずに設置することができるとともに、竪樋のメンテナンスを容易にすることができる。また、上部竪樋を横樋の上部の任意の場所に設置することができる。
【００１８】
また、建物の外壁に設けた縦溝部に庇構造を設けることで、竪樋が目につきにくくなり、建物躯体の輪郭の美感を損ねることがない。
【００１９】
さらに、下部竪樋を縦溝部の側面に沿って設けた場合には、縦溝部を正面から見た場合に下部竪樋が目につきにくい。また縦溝部に設けた窓や出入口などの開口を設けた場合にも、下部竪樋が開口からの視線や出入りの妨げとなることがない。
【００２０】
また、上部竪樋を横樋の排水口の上部に配置することで、屋根または上階の庇に降り注いだ雨水を横樋の排水口に直接流し入れることができる。
【００２１】
また、庇部材を建物躯体に取り付け、次いで排水口に下部竪樋を接続するとともに、上部竪樋を横樋の上部に配置することで、建物の庇部分における樋構造を容易に形成することができる。
【発明を実施するための最良の形態】
【００２２】
以下、本発明の実施の形態について詳細に説明する。図１、図２において、建物の外壁１１に縦溝部１０が形成されている。なお、建物の外壁１１は、枠材１１ａに面材１１ｂを張って形成された壁パネル１２と、壁パネル１２の外側に取り付けられた外壁材１３等とから構成される。
壁パネル１２の、庇取付部２１が配置される位置の下部には、天井部材受け具１５が取り付けられている。天井部材受け具１５は、後述する軒裏天井部材３９を支持する。
【００２３】
縦溝部１０には、サッシ１４（図３参照）や扉（図示せず）等が設けられ、窓や出入口等の開口部が形成される。庇２０はその開口部の上部に設けられる。庇２０は、開口部の上部に設けられた庇取付部２１と、庇部材３０と、図示しない野縁や野縁受け１６と、屋根裏当て材４１や屋根表面材４２等とからなる。また、庇２０の下部には下部竪樋５２が接続され、上部には上部竪樋５１が設けられる。
【００２４】
図３に、庇部材３０の庇取付部２１への取付構造を示す。庇取付部２１は、取付材２２や桟材２３に、板材２４を張って形成され、縦溝部１０の最奥に配置されている。庇取付部２１の両端部は、縦溝部１０を形成する外壁１１により支持されている。庇取付部２１の取付材２２には、取付ボルト２５及びナット２６、コーチスクリュー２７等により、庇部材３０が取り付けられている。
【００２５】
庇部材３０は、本体３１と、取付金具３２と、横樋３３と、落ち葉受け３３ａと、横樋３３支持材と、ドレン３５と、パラペット取付具３６と、パラペット３７と、軒裏天井部材３９等とからなる。
取付金具３２は、図４に示すように、少なくとも本体３１の両端部付近に１つずつ設けられる。本体３１部の幅が広い場合には、その間にも取付金具３２を設けてもよい。本体３１は、取付金具３２を介して、取付ボルト２５及びナット２６、コーチスクリュー２７等により、取付材２２に取り付けられる。また、本体３１部は、図示しない野縁や、野縁に支持された野縁受け１６により支持される。
【００２６】
本体３１の上面には、横樋３３が埋設されている。横樋３３は、本体３１内に固定された横樋支持材３４により支持されている。横樋３３は、図１及び図２に示すように、縦溝部１０の最外方に配置され、両端が縦溝部１０の両側部の外壁１１の近傍に位置する。横樋３３には、上部竪樋５１からの雨水が流入する。横樋３３の上部には、落ち葉などの異物が横樋３３に流入することを防ぐ網状の落ち葉受け３３ａが設けられている。
【００２７】
また、横樋３３には、ドレン３５が設けられている。ドレン３５の位置は任意であり、例えば横樋３３の中央にドレン３５を設けてもよい。しかし上部竪樋５１や下部竪樋５２との位置関係から、横樋３３の少なくとも一方の端部に設けることが好ましい。
ドレン３５の下部には下部竪樋５２が接続されており、横樋３３に流入した雨水はドレン３５を通って下部竪樋５２に流出する。本体３１部の下面の、ドレン３５の位置する部分には、穴が空いており、下部竪樋５２が貫通する。
【００２８】
パラペット取付具３６は、本体３１部の外周部の、庇取付部２１や外壁１１と接しない部分に取り付けられている。パラペット３７はパラペット取付具３６と嵌合した状態でネジ止めされる。パラペット３７は庇部材３０への雨水の流入を防ぐ。パラペット３７の下部には、天井部材受け部３８が設けられている。
【００２９】
軒裏天井部材３９は、パラペット３７の天井部材受け部３８と、壁パネル１２に取り付けられた天井部材受け具１５により支持され、庇２０の下部に配置される。軒裏天井部材３９の、本体３１部の穴と同位置には、本体３１部と同様に穴が空いており、下部竪樋５２が貫通する。
上記の庇部材３０は、工場で製作されるため、現場施工を少なくすることができる。
【００３０】
屋根裏当て材４１は庇取付部２１や庇部材３０の上部に配置される。屋根表面材４２は屋根裏当て材４１の上部に設けられ、庇２０の上部を覆うとともに、横樋３３と水密に接合される。屋根表面材４２は、庇２０に降り注いだ雨水を横樋３３へ流入させるとともに、庇２０や建物躯体の内部に雨水が浸入することを防いでいる。
【００３１】
下部竪樋５２は、庇部材３０の本体３１部及び軒裏天井部材３９を貫通し、ドレン３５と接続されている。下部竪樋５２は、横樋３３に流入した雨水を地面または排水路へ流す。ドレン３５を横樋３３の少なくとも一方の端部に設けた場合には、縦溝部１０の外壁１１に沿って縦方向に下部竪樋５２を取り付けることができる。
【００３２】
上部竪樋５１は、庇部材３０の横樋３３の上部に設けられ、屋根や屋上、または上階の庇に降り注いだ雨水を横樋３３に流入させる。上部竪樋５１は、横樋３３の上部の任意の位置に設けることができる。上部竪樋５１をドレン３５の直上に設けると、上部竪樋５１から横樋３３に流入する雨水を直接ドレン３５に流入させることができる。
【００３３】
さらに、ドレン３５を横樋３３の少なくとも一方の端部に設けた場合には、ドレン３５の直上に上部竪樋５１を設けると、上部竪樋５１を縦溝部１０の外壁１１に沿って縦方向に取り付けることができる。
【００３４】
建物の庇２０に上記のような樋構造を設けることで、竪樋の直線性を確保することができ、美しい外観が得られるとともに、竪樋が庇２０の場所で屈曲しないため、雨水を効率よく流すことができる。また、上部竪樋５１からの雨水を横樋３３で受けた後に、下部竪樋５２に流す構造であるため、上部竪樋５１を流れる落ち葉等の異物を横樋３３で取り除くことができ、メンテナンスが容易となる。
【００３５】
なお、庇部材３０は、例えば図５、図６に示すように、庇取付部２１を介さずに、外壁１１を構成する壁パネル１２に直接取り付けることもできる。その取付箇所も建物の外周の縦溝部１０に限らず、図５に示すように、平坦な箇所に取り付けることもでき、また凸状の部分に取り付けることもできる。
【００３６】
また、竪樋や横樋３３の配置や形状も任意であり、その他具体的な細部構造についても適宜変更可能であることはもちろんである。
【図面の簡単な説明】
【００３７】
【図１】本発明の適用された建物の外周部を示す図であり、斜視図である。
【図２】同、平面図である。
【図３】同、鉛直断面図である。
【図４】本発明の庇部材を示す正面図である。
【図５】本発明の適用された建物の外周部を示す図であり、平面図である。
【図６】同、鉛直断面図である。
【符号の説明】
【００３８】
１０   縦溝部
１１   外壁
２０   庇
３０   庇部材
３３   横樋
５１   上部竪樋
５２   下部竪樋
【図１】
2005220560.tif 000003
【図２】
2005220560.tif 000004
【図３】
2005220560.tif 000005
【図４】
2005220560.tif 000006
【図５】
2005220560.tif 000007
【図６】
2005220560.tif 000008